(57)【特許請求の範囲】
【請求項１】
キーボードと、前記キーボードの手前側に設けられたパッド型ポインティング・デバイスのパッド面とを備えた入力装置において、
前記パッド面が、前記パッド面の前記キーボード側の端部が前記キーボードの操作面に対して低くなるように傾斜した状態で前記入力装置に固定されたことを特徴とする入力装置。
【請求項２】
前記キーボード及びパッド面に固定されたパームレストを有し、前記キーボードの操作面と、前記パームレストの表面はほぼ同一平面上に位置し、この平面に対し、前記パッド面は傾斜していることを特徴とする請求項１に記載の入力装置。
【請求項３】
前記キーボード上に設けられたスティック型ポインティング・デバイスのスティックと、前記キーボードとパッド面との間に設けられた前記スティック型ポインティング・デバイス用の第１のボタンと、前記第１ボタンとパッド面との間に位置し、前記パッド面を固定するガイド部材とを備えることを特徴とする請求項２に記載の入力装置。
【請求項４】
前記第１ボタン、ガイド部材、及びパッド面は相互に隣接していることを特徴とする請求項３に記載の入力装置。
【請求項５】
前記ガイド部材の上面の高さは、押下時における前記第１ボタンの最上部の高さとほぼ同じであることを特徴とする請求項４に記載の入力装置。
【請求項６】
前記第１ボタンのストロークは０．８〜１．５［mm］であることを特徴とする請求項５に記載の入力装置。
【請求項７】
前記パッド面の手前に設けられた前記パッド型ポインティング・デバイス用の第２のボタンと、前記パッド面と第２ボタンとの間に位置し、前記パッド面を固定するためのガイド部材とを備え、このガイド部材の上面と前記パッド面の第２ボタン側端部との高さの差は、前記パッド面の第２ボタン側端部近傍を容易に操作し得る程度に小さいことを特徴とする請求項３に記載の入力装置。
【請求項８】
前記第２ボタンのストロークは０．８〜１．５［ｍｍ］であることを特徴とする請求項７に記載の入力装置。
【請求項９】
前記同一平面に対する前記パッド面の傾斜角度はほぼ３．８度であることを特徴とする請求項３に記載の入力装置。
【請求項１０】
請求項１〜９のいずれかの入力装置を有し、その操作面と、ノートパソコンが有するディスプレイの画面とを対向させて閉じることができるように構成されていることを特徴とするノートパソコン。
【発明の詳細な説明】
【０００１】
【発明の属する技術分野】
本発明は、キーボード及びパッド型あるいはさらにスティック型のポインティング・デバイスを備えた入力装置及びこれを有するノートパソコンに関する。
【０００２】
【従来の技術】
一般に、ノートパソコンでは、入力装置として、キーボード等に加え、パッド型やスティック型のポインティング・デバイスが用いられている。これらのポインティング・デバイスは、主として画面上のマウスカーソルを移動させるとともに、マウスカーソルの位置に関連した処理を行わせるために用いられる。マウスカーソルの移動は、パッド型のものの場合はパッドを指で操作することにより、スティック型のもの場合はスティックを操作することにより行う。パッド型及びスティック型のいずれの場合においても、付随するボタンの押下により、マウスにおけるクリック等に相当する入力を行うことができる。スティックは通常、キーボード上の"Ｂ"、"Ｇ"及び"Ｈ"キーの間に配置され、それに付随するスティック用のボタンはスペースキーの手前に配置される。パッドも同様に、スペースキーの手前に配置され、それに付随するパッド用のボタンはパッドの手前に配置される。
【０００３】
従来、スティック型及びパッド型双方のポインティング・デバイスを備えたノートパソコンも知られている。この場合、スティック及びスティック用のボタンは上述と同様に配置される。パッドはスティック用ボタンの手前に配置され、パッド用ボタンはパッドの手前に配置されている。
【０００４】
【発明が解決しようとする課題】
このようにスティック型及びパッド型双方のポインティング・デバイスを備える場合、スティック用ボタンを操作するときに、誤ってパッドに触れてしまい、カーソルが意図しない位置に移動してしまう場合がある。そこで、これを解決するため、種々の提案がなされている。
【０００５】
たとえばある提案においては、スティック用ボタンを極端にスペースキーの近くに配置し、パッドとの距離を十分にとることによって、スティック用ボタンの操作時にパッドに触れるのを防止するようにしている。しかし、これによれば、スペースキーの操作との干渉等により、スティック用ボタンの操作性が犠牲になる。
【０００６】
また、別の提案においては、スティック用ボタンの大きさを小さくしてパッドとの距離を確保するようにしている。しかしこれによれば、スティック用ボタンが小さいため、その操作性が犠牲になっている。
【０００７】
また、さらに別の提案においては、スティック用ボタンを、たとえば０．３［ｍｍ］程度のショートストロークのものにして、ボタンを押下したときに指がパッドに触れるのを防止するようにしている。しかしこれによれば、ショートストロークのボタンによりスイッチを押下するときの強いクリック感とクリック音が生じてしまう。また、スイッチ自体の寿命も短くなる。
【０００８】
また、これらの提案以外の方策として、スティック用ボタンの配置や構成は従来のままとし、スティック用ボタンからパッドまでの距離を十分に離すことも考えられる。しかしそうすると、キーボードとパッドを同時並行的に操作するときの操作性が悪くなる。また、パームレストが大きくなりすぎて、キーボード全体の操作性を損うおそれもある。
【０００９】
そこで、本発明の目的は、スティック型及びパッド型双方のポインティング・デバイスを備える場合でも操作性が良好である入力装置及びこれを有するノートパソコンを提供することにある。
【００１０】
【課題を解決するための手段】
この目的を達成するため、第１の発明に係る入力装置は、キーボードと、前記キーボードに対し、その手前側に固定されたパッド型ポインティング・デバイスのパッド面とを備えた入力装置において、前記パッド面が、使用時に水平面に対して、あるいは前記キーボードの操作面に対して、前記キーボード側が低くなるように傾斜するように構成されていることを特徴とする。
【００１１】
ここで、入力装置としては、たとえば、ノートパソコンに適したものが該当する。パッド型ポインティング・デバイスとしては、たとえばタッチパッドと呼ばれているものが該当する。パッド型ポインティング・デバイスは、そのパッド面を指で操作することによるマウスカーソルの移動やマウスのクリックに相当する機能等を行うためのものであり、通常は、そのようなクリックに相当する機能を行わせるためのボタンが付随する。ただしボタンが無くても、他の操作、たとえばパッド面をパッティングする操作で代用することができる。
【００１２】
この構成において、両手をキーボードのホームポジションに置いたままパッド面を操作するとき、ホームポジション上の人差し指と、パッド面を操作する親指との角度をある程度開き、操作に応じてその角度を調整する必要がある。つまりパッド面のキーボード側を操作するときは角度を狭め、手前側を操作するときは角度を大き開くことになる。その際、パッド面はキーボード側が低くなるように傾斜しているので、角度を狭めて親指をキーボード側に移動させるときはパッド面は低くなり、角度を大きくして親指を手前側に移動させるときはパッド面は高くなる。したがって、従来のようにパッド面が水平である場合よりも、親指をパッド面に沿って移動させるのが容易であり、より確実にパッド面に親指を接触させることができる。また、パッド面の傾斜は、後述するように、さらにスティック型のポインティング・デバイスを併設する場合の各部の配置や構成を、操作性の観点から最適化するのに寄与する。
【００１３】
第２の発明に係る入力装置は、第１発明において、前記キーボード及びパッド面に固定されたパームレストを有し、前記キーボードの操作面と、前記パームレストの表面はほぼ同一平面上に位置し、この平面に対し、前記パッド面は傾斜していることを特徴とする。
【００１４】
第３の発明に係る入力装置は、第２発明において、前記キーボード上に設けられたスティック型ポインティング・デバイスのスティックと、前記キーボードとパッド面との間に設けられた前記スティック型ポインティング・デバイス用の第１のボタンと、前記第１ボタンとパッド面との間に位置し、前記パッド面を固定するガイド部材とを備えることを特徴とする。ここで、スティック型ポインティング・デバイスとしては、たとえばトラックポイントやアキュポイントと呼ばれているものが該当する。
【００１５】
第４の発明に係る入力装置は、第３発明において、前記第１ボタン、ガイド部材、及びパッド面は相互に隣接していることを特徴とする。
【００１６】
第５の発明に係る入力装置は、第４発明において、前記ガイド部材の上面の高さは、押下時における前記第１ボタンの最上部の高さとほぼ同じであることを特徴とする。
【００１７】
第６の発明に係る入力装置は、第５発明において、前記第１ボタンのストロークは０．８〜１．５［ｍｍ］であることを特徴とする。
【００１８】
第７の発明に係る入力装置は、第３発明において、前記パッド面の手前に設けられた前記パッド型ポインティング・デバイス用の第２のボタンと、前記パッド面と第２ボタンとの間に位置し、前記パッド面を固定するためのガイド部材とを備え、このガイド部材の上面と前記パッド面の第２ボタン側端部との高さの差は前記パッド面の第２ボタン側端部近傍を容易に操作し得る程度に小さいことことを特徴とする。
【００１９】
第８の発明に係る入力装置は、第７発明において、前記第２ボタンのストロークは０．８〜１．５［ｍｍ］であることを特徴とする。
【００２０】
第９の発明に係る入力装置は、第３発明において、前記同一平面に対する前記パッド面の傾斜角度はほぼ３．８度であることを特徴とする。
【００２１】
第１０の発明に係るノートパソコンは、第１〜第９のいずれかの発明に係る入力装置を有し、その操作面と、ノートパソコンが有するディスプレイの画面とを対向させて閉じることができるように構成されていることを特徴とする。
【００２２】
【発明の実施の形態】
図１は、本発明の一実施形態に係るノートパソコンの要部を示す。同図に示すように、このノートパソコンは、キーボード１と、キーボード１に対し、その手前側に固定されたタッチパネルのパッド面２とを備える。パッド面２は、キーボード１の操作面に対して、キーボード側が低くなるように傾斜している。このため、ノートパソコンを机上に置いて使用するとき、パッド面２は水平面に対しキーボード側が低くなるように傾斜する。図中の３はキーボード・ベゼルであり、この上にキーボード１、タッチパネル等が組み込まれている。
【００２３】
キーボード１及びパッド面２にはパームレスト４が固定されている。つまり、パームレスト４はキーボード・ベゼル３の一部として構成されている。キーボード１の操作面と、パームレスト４の表面はほぼ同一平面上に位置する。この平面に対し、パッド面２は約３．８°傾斜している。
【００２４】
キーボード１上にはトラックポイントのスティック５が設けられ、キーボード１とパッド面２との間にはトラックポイント用のボタン６が設けられている。これらの配置は従来と同様である。トラックポイント・スティック５はキーボード１の"Ｂ"、"Ｇ"及び"Ｈ"キーの間に配置され、トラックポイント・ボタン６はキーボード１のスペースキー７の手前に配置されている。トラックポイント・スティック５によってマウスカーソルをノートパソコンの画面上で移動させ、トラックポイント・ボタン６を押下することにより、カーソル位置に関連した処理をパソコンに行わせることができるようになっている。トラックポイント・ボタン６は、左ボタン６ａ、右ボタン６ｂ及び中央ボタン６ｃで構成されている。たとえば、左ボタン６ａにはマウスの左ボタン、右ボタン６ｂにはマウスの右ボタン、中央ボタン６ｃにはマウスのホイールのような機能をそれぞれアサインすることができる。図中の破線１１はトラックポイント・ボタン６の、ユーザの指による大体の押下位置を示している。
【００２５】
パッド面２のキーボード側端部２ａは、押下時におけるトラックポイント・ボタン６の最上部よりも低くなっている。トラックポイント・ボタン６としては、操作性を向上させるため、従来と同様に大きなストローク、たとえば１．３［ｍｍ］程度のストロークを有するものを採用している。このストロークは、通常のスナップドーム型のスイッチにおける０．１〜０．５［ｍｍ］に比べて大きい。この大きなストロークは、フィルムタイプの接点にラバードームと呼ばれるゴムの部品と、ストロークを安定させる機構とを組み合わせて実現されている。この機構により、０．８〜１．５［ｍｍ］の大きなストロークを実現することができる。この長ストロークにより、トラックポイントの操作性を良好なものにしている。１．２〜１．５［ｍｍ］のストロークとすれば、より操作性を好ましいものとすることができる。パッド面２のキーボード側端部２ａは、トラックポイント・ボタン６とパッド面２との間に位置するガイド８によって押圧され、固定されている。ガイド８はキーボード・ベゼル３の一部として構成されている。
【００２６】
トラックポイント・ボタン６、ガイド８、及びパッド面２は相互に隣接している。すなわちパッド面２がキーボード１から離れすぎないようにして、キーボード１の操作に慣れているユーザがキーボード１とタッチ面２を同時に操作する際の使い勝手を良好に維持している。つまり、キーボード１とタッチパッドを同時に使用する際には、人差し指をキーボードのホームポジションすなわち"Ｆ"及び"Ｊ"キーに置き、親指でタッチ面２を操作するような場合が多いが、そのときに、パッド面２がキーボード１から離れすぎていると、大きく親指を移動させるか、又は人差し指をホームポジションから離して操作する必要が生じるので、これを防止するため、パッド面２をトラックポイント・ボタン６に可能な限り近づけて配置している。
【００２７】
パッド面２の手前には、タッチパッド用のボタン９が設けられている。パッド面２を指でなぞることにより、マウスカーソルを移動させ、タッチパッド・ボタン９を押下することによってマウスカーソルの位置に関係した処理を行わせることができるようになっている。タッチパッド・ボタン９は左ボタン９ａ及び右ボタン９ｂとで構成されている。左ボタン９ａ及び右ボタン９ｂには、たとえば、それぞれマウスの右ボタン及び左ボタンの機能をアサインすることができる。タッチパッド・ボタン９としても、操作性を向上させるため、トラックポイント・ボタン６の場合と同様に、長ストロークのものが採用されている。パッド面２のタッチパッド・ボタン側端部２ｂは、タッチパッド・ボタン９との間に位置するガイド１０によって押圧され、固定されている。
【００２８】
図２は図１のＡＡ'線断面の一部に係る断面図であり、トラックポイント・ボタン６と、パッド面２との高さ方向の位置関係を示している。ガイド８はプラスチック成形が可能な程度の厚さを有していて、その上面は、パッド面２のキーボード側端部２ａ表面よりも高い位置に位置する。そして、ガイド８の上面の高さは、押下時におけるトラックポイント・ボタン６の最上部の高さとほぼ同じである。したがってパッド面２のキーボード側端部２ａは、押下時におけるトラックポイント・ボタン６の最上部よりも低い。さらに、パッド面２は、そのキーボード側端部２ａに向かって低くなるように傾斜している。これにより、トラックポイント及びタッチパッド双方の操作性を損なうことがない良好な各部の配置を可能としている。
【００２９】
すなわち仮に、ユーザ側のタッチパッド・ボタン９やパームレスト４あるいはベゼル３の高さに対して理想的な高さの位置に、パッド面を水平に配置したとすると、パッド面の高さは一点鎖線２２で示す高さとなり、パッドを取り付けるためのガイドの高さは一点鎖線２３の高さとなる。これらの高さはトラックポイント・ボタン６に対する理想的な高さより高い。つまり、ガイドの高さ２３が、押下時におけるトラックポイント・ボタン６の最上部の一点鎖線２４で示される高さよりもかなり高く、かつ上述のようにトラックポイント・ボタン６は大きなストロークを有する。このため図３に示すように、トラックポイント・ボタン６を押下しようとするときには、指が、トラックポイント・ボタン６に対して高さの高いガイド３１に当たるので、ユーザは指を立て気味にして上方から垂直に押下するような操作を強いられる。また、より深く押下しようとすると、ガイド３１が指の腹にめり込み、指がパッド面３２に接触するおそれがある。したがって、意図しない方向へマウスカーソルが移動してしまうという問題が起こりやすくなるとともに、トラックポイント・ボタン６自体については操作性を考慮して長ストロークにしたにもかかわらず、操作性が低下することになる。
【００３０】
そこで、本実施形態では、ガイド８の高さを、トラックポイント・ボタン６の非押下時における最上部の高さよりかなり低くし、トラックポイント・ボタン６の押下時における最上部の高さ２４とほぼ同レベルとしている。このため、図４に示すように、トラックポイント・ボタン６を押下したときに、指がトラックポイント・ボタン６の最上部で支持されるので、パッド２表面に接触するおそれがなくなる。したがって、トラックポイント・ボタン６の長ストロークによる操作性の良さを損なうことなく、享受することができる。
【００３１】
図５は図１のＡＡ'線断面におけるタッチパッド・ボタン側の断面図である。上述のように、パッド面２のトラックポイント・ボタン側端部２ａは、トラックポイント・ボタン６の最上部よりかなり低い位置としている。したがってパッド面２全体もこれに合わせたレベルで水平に配置することも考えられる。しかし仮にそうした場合には、パッド面のレベルは図５中の一点鎖線５２の高さとなる。この場合、図６に示すように、タッチパッド・ボタン９やガイド６１のレベルよりもパッド面６２のレベルが低すぎて、パッド面６２におけるタッチパッド・ボタン側端部６２ｂの操作性が悪化する。パッド面のタッチパッド・ボタン側端部には、各種の拡張機能をアサインし、利用することができる。このため、タッチパッド・ボタン側端部の操作性は重要である。拡張機能としては、たとえば連続的にポインタ（カーソル）を移動させる機能や、画面をスクロールさせる機能が該当する。また、タッチパッド・ボタン側端部のコーナ部分をタップすることにより、予めそこに設定してあるボタンの機能やアプリケーション等を起動させる機能等も該当する。
【００３２】
そこで、本実施形態では、ガイド１０の上面とパッド面のタッチパッド・ボタン側端部２ｂとの高さの差が、タッチパッド・ボタン側端部２ｂの近傍を容易に操作し得る程度に小さくなるようにしている。すなわち、上述のようにパッド面２を傾斜させ、タッチパッド・ボタン側端部２ｂをトラックポイント・ボタン側端部２ａよりも高くなるように構成し、これによってタッチパッド・ボタン９、ガイド１０、及びパッド面２の各レベルが、それぞれ図５の高さ５４〜５６となるようにしている。これによれば、図７に示すように、自然な体勢で指によるタッチパッド・ボタン側端部２ｂの操作を行うことができる。
【００３３】
なお、タッチパッド・ボタン９の位置を、トラックポイント・ボタン６に合わせて低い位置とし、パッド面２全体もこれに合わせたレベルで水平に配置することも考えられるが、上述のようにトラックポイント・ボタン６に操作性を統一させるためにタッチパッド・ボタン９も長ストロークにしているため、タッチパッド・ボタン９の高さとパームレスト４の高さとの関係も操作性に重要な影響を与える。すなわち、タッチパッド・ボタン９の高さをパームレスト４に比べて下げることは、タッチパッド・ボタン９の長ストロークによる操作性を損うことになるので、好ましくない。
【００３４】
この構成において、ノートパソコンはコンパクトでより薄型であることが望まれるため、キーボード１の操作面、パームレスト４の表面、及びキーボード・ベゼル３の表面は、ノートパソコンを閉じたときに平らなディスプレイの画面に対向してコンパクトに納まるようにほぼ同一平面を形成している。したがって、ノートパソコンを開いて机上に置くと、キーボード１の操作面はほぼ水平となり、パッド面２は、キーボード側が低く、手前側が高くなるように傾斜する。パソコンの操作に際しては、手の平はパッド面２両側のパームレスト４に預け、キーボード１のホームポジション近傍に人差し指等を配置しながら、親指を傾斜したパッド面２に対して容易に沿うようにして移動させ、パッド面２に対する操作を行うことができる。すなわち、キーボード１を操作しながら親指で行うパッド面２の操作が、パッド面２が水平である場合に比べ、より自然な親指の動きにより容易に行われる。
【００３５】
また、パッド面２を操作しながらタッチパッド・ボタン９ａや９ｂを押下することにより、マウスの左クリックや右クリックに相当する機能を行わせることができるが、その際に、タッチパッド・ボタン９の押下は、パームレスト４やキーボード・ベゼル３の上面と同等の高さから行われる。このとき、タッチパッド・ボタン９の長ストロークによる良好な操作感が得られる。
【００３６】
また、パッド面のユーザ側端部２ｂに、アプリケーションの起動機能や、画面のスクロール機能がアサインしてあれば、当該部分を指でなぞったり、タップしたりすることにより、当該機能を行わせることができる。その際、パッド面の端部２ｂは反対側の端部２ａよりも高くなっているため、パームレスト４に手の平を預けながらも、パームレスト４のレベルからさほど落ち込んではいないパッド面端部２ｂを容易に操作することができる。
【００３７】
トラックポイントを用いる場合には、人差し指でトラックポイント・スティック５を操作してマウスカーソルの位置決めを行いながら親指等でトラックポイント・ボタン６ａや６ｂを押下することにより、マウスの左や右クリックに相当する機能を行わせることができる。また、トラックポイント・ボタン６ｃを押下しながらトラックポイント・スティック５を操作して画面を任意の方向へスクロールさせることもできる。このとき、トラックポイント・ボタン６を指で押下すると、トラックポイント・ボタン６が最下点に達したとき、その指はガイド８の上面に達し、トラックポイント・ボタン６の最上部とガイド８の上面により支持され、停止する。したがって、パッド面２を誤って指で触れてしまうようなこともなく、トラックポイント・ボタン６の長ストロークによる良好な操作感が得られる。
【００３８】
以上説明したように本実施形態によれば、ノートパソコンにトラックポイントとタッチパッドの双方を設ける場合の好ましい各部の配置を実現し、それにより良好な操作性を提供することができる。すなわち、ノートパソコンでは、そのコンパクト性を担保しつつ操作性を良好に維持するという観点から、トラックポイント・ボタンやタッチパッド・ボタンを個別に設ける場合におけるそれらの高さやストロークが決定されているが、そのように最適化された配置や構成を、タッチパッドのパッド面を傾斜させたことよって、トラックポイント及びタッチパッドの双方を設ける場合においても、維持することを可能にしている。また、タッチパネルのパッド面を傾斜させたことよって、キーボードとタッチパッドの双方を同時並行的に操作するときの、親指によるパッド面の操作性を向上させることができる。
【００３９】
なお、本発明は上述の実施形態に限定されることなく適宜変形して実施することができる。たとえば、上述においては、トラックポイント・ボタン６及びタッチパッド・ボタン９として、それぞれ３個及び２個のボタンで構成されているものを用いているが、この代わりに、トラックポイント・ボタンとして２個のボタンで構成されているものや、タッチパッド・ボタンとして１個、２個あるいはそれ以上の数のボタンで構成されているものを用いてもよい。
【００４０】
【発明の効果】
以上説明したように、本発明によれば、パッド面が使用時に水平面に対して、あるいはキーボードの操作面に対して、キーボード側が低くなるように傾斜するように構成したため、キーボードとパッド面を同時に操作する際のパッド面の操作性を向上させることができる。また、スティック型ポインティング・デバイスとパッド型ポインティング・デバイスの双方を設ける場合においても各部の好ましい配置や構成を可能とし、良好な操作性を実現することができる。
【図面の簡単な説明】
【図１】本発明の一実施形態に係るノートパソコンの要部を示す斜視図である。
【図２】図１のＡＡ'線断面の一部を示す断面図である。
【図３】タッチパッド・ボタン等の高さに対して理想的な位置にパッド面を水平に配置した場合の問題点を示す図である。
【図４】本発明の一実施形態において図３の問題点が解決されている様子を示す図である。
【図５】図１のＡＡ'線断面の別の一部を示す断面図である。
【図６】タッチパッド・ボタン等のレベルよりもパッド面のレベルが低すぎる場合の問題点を示す図である。
【図７】本発明の一実施形態において図６の問題点が解決されている様子を示す図である。
【符号の説明】
１：キーボード、２：パッド面、２ａ：パッド面のトラックポイント・ボタン側端部、２ｂ：パッド面のタッチパッド・ボタン側端部、３：キーボード・ベゼル、４：パームレスト、５：トラックポイント・スティック、６：トラックポイント・ボタン、６ａ：左ボタン、６ｂ：右ボタン、６ｃ：中央ボタン、７：スペースキー、８：ガイド、９：タッチパッド・ボタン、９ａ：左ボタン、９ｂ：右ボタン、１０：ガイド、１１：押下位置、２２〜２４：高さを示す線、３１：ガイド、３２：パッド面、５２，５４〜５６：高さを示す線、６１：ガイド、６２：パッド面、６２ｂ：パッド面のタッチパッド・ボタン側端部。
【図１】
0003808000.tif 000002
【図２】
0003808000.tif 000003
【図３】
0003808000.tif 000004
【図４】
0003808000.tif 000005
【図５】
0003808000.tif 000006
【図６】
0003808000.tif 000007
【図７】
0003808000.tif 000008